(57)【特許請求の範囲】
【請求項１】
洗面台、浴槽等の天板に開設された取付孔に水栓本体の取付用筒部を貫挿し、前記天板の下側からナットを前記取付用筒部に螺合締付して前記水栓本体を前記天板に取付けるに際し、前記天板上に介装される台座であって、前記洗面台，浴槽等の排水口の開閉栓を遠隔操作するための操作部の取付部を設けてなるとともに前記取付用筒部を貫挿するための透孔と、前記操作部を貫挿するための透孔を開設したことを特徴とした水栓取付用台座。
【発明の詳細な説明】
【０００１】
【発明の属する技術分野】
本発明は、洗面台や浴槽の天板（デッキ部とも称される）に水栓を取付ける際に使用する台座に関し、さらに詳しくは、その取付によって洗面台や浴槽の排出口を遠隔操作により開閉するための操作部を併設することができるようにするものである。
【０００２】
【従来の技術】
例えば実開平６−３５３７０号公報に示された浴槽設備は、浴槽の排水口に開閉栓装置が設けられ、その装置から延びるケーブルが浴槽給湯用水栓に設けられた操作部に連結され、その操作部を手動操作することにより排水口を遠隔操作で開閉できるように構成されたものである。
【０００３】
【発明が解決しようとする課題】
ところで上記のように排水口の開閉栓を遠隔操作するための操作部が浴槽給湯用水栓等の水栓自体に設けられていると、その水栓はこのような遠隔操作により排水口を開閉するように構成した浴槽または洗面台用として専用に取付できるだけであって、遠隔操作を採らない他の多くの部所には取付できないため、汎用性がなく製造コストもそのために高くならざるを得ない状況であった。
【０００４】
そこで本発明は排水口を遠隔操作するための操作部を併設し得る水栓取付用台座を提供し、この台座を必要に応じて取付けられるようにし、上記のような無駄をなくそうとするものである。
【０００５】
【課題を解決するための手段】
そのために本発明は、洗面台、浴槽等の天板に開設された取付孔に水栓本体の取付用筒部を貫挿し、前記天板の下側からナットを前記取付用筒部に螺合締付して前記水栓本体を前記天板に取付けるに際し、前記天板上に介装される台座であって、前記洗面台，浴槽等の排水口の開閉栓を遠隔操作するための操作部の取付部を設けてなるとともに前記取付用筒部を貫挿するための透孔と、前記操作部を貫挿するための透孔を開設したことを特徴とする。
【０００６】
【発明の実施の形態】
次に本発明の実施の形態を図面と共に説明する。この実施形態はシングルレバー式湯水混合水栓を洗面台に取付ける際のもので、図１に取付時の部分断面側面図、図２にその背面斜視図、図３にその台座の斜視図を示す。図中、１０は洗面台の天板、２０は水栓本体、４０は台座、７０は洗面台の排水口に設けられた開閉栓である。
【０００７】
２１は水栓本体２０の上部に設けられた操作レバー、２２は該水栓本体２０の外周に水平面内で回転自在なるように設けられ先端部にシャワー切換吐水ヘッド２３を着脱自在に嵌合支持している支持筒、２４は該水栓本体２０の下部に固着された取付用筒部である。また、２５，２６は水栓本体２０内に設けられている弁口と連通する給湯管と給水管、２７は水栓本体２０内にて混合した湯水を吐出させる吐水管、２８はシャワー切換吐水ヘッド２３と連なるフレキシブルホースで、該各配管２５，２６，２７およびフレキシブルホース２８は取付用筒部２４中を貫通している、そして該吐水管２７の下端はフレキシブルホース２８の先端とジョイント（図示せず）を介して接続されている。このため、操作レバー２１を上下動または回転動することにより湯水を所望の比率で混合させシャワー切換吐水ヘッド２３より吐出させることができる。なお２９は支持筒２２を回転自在に支持するスリップリング、３０は取付用筒部２４の上端部外周に形成されたフランジ部である。
【０００８】
台座４０は、図３にも示したように、前記取付用筒部２４を貫挿するための透孔４１が開設され、該透孔４１の内周面に段部４２が形成されている。そして外周に一体に取付部４３が突設され該取付部４３に開閉栓７０を遠隔操作するための操作部５０を貫挿し得る透孔４４を開設している。なお透孔４４の内周には螺子溝４５が刻設されている。
【０００９】
操作部５０は、鞘体５１中に芯棒５２が進退動可能に挿入され、該芯棒５２の上端に摘子５３が止着され、芯棒５２の下端には遠隔操作用ケーブル５４の一端が止着されている。そして該鞘体５１の上端部を螺子溝４５に螺合することにより該操作部５０を該透孔４４中に貫挿している。そして芯棒５２の上方突出端に摘子５３を固着している。なお５５は透孔４４中に設けられた水シール用Ｏリングである。
【００１０】
天板１０には取付用筒部２４を貫挿し得る取付孔１１が開設されていると共に、該取付孔１１の後側で少し離れて取付孔１２が開設され、該取付孔１２には操作部５０の鞘体５１を貫挿し得る。
【００１１】
このため水栓本体２０を天板１０に取付けるに際しては、台座４０の透孔４１中に水栓本体２０の取付用筒部２４を貫挿し、段部４２上に取付用筒部２４上端のフランジ部３０を係合させ、該取付用筒部２４を取付孔１１に貫挿し、鞘体５１を取付孔１２に貫挿し、天板１０の下側からナット６０を取付用筒部２４に螺合締付する。なお、６１，６２はその締付部に介在させた環状のシートパッキン、６３は同じく取付部４３下面の鞘体５１外周に介在させた環状のシートパッキンである。
【００１２】
このように水栓本体２０を天板１０に取付けるに際して、操作部５０の取付部４３が設けられた台座４０を該天板１０上に介装させることにより、水栓本体２０に開閉栓７０の遠隔操作部を容易に併設することができる。また、水栓本体２０を取付けるに際して取付部４３を有しない台座（図示せず）を使用すれば、遠隔操作式でない洗面台や浴槽にもこの水栓本体２０を何ら不自然でなく取付けることができる。このため台座の形態を適宜選定するたけで、この水栓本体２０を遠隔操作併用としても、或いは単独のものとしても取付け得る。
【００１３】
３１，３２はシートパッキン６２を螺合締付するに際して水栓本体２０が従回転しないようにする工具（図示せず）を係合しておくために支持筒２２および水栓本体２０の一側壁に開設された係合孔である。なお、図示しないが、透孔４１の内周面および取付用筒部２４の外周に互いに係合する凹凸を形成する、或いは、台座４０と水栓本体２０とを止めネジにて固着する等、台座４０と水栓本体２０とを回転不能に固定する固定手段を設けることによりナット６０を締付する際の上記のような従回転を防ぐようにすることもできる。
【００１４】
なおこの実施形態ではケーブル５４を介して開閉栓７０を遠隔操作するようにしたが、リンク、その他の伝達部材を介して遠隔操作するものにも適用できる。また本発明はこの実施形態に示した１穴取付式の湯水混合水栓に限らず種々の形態の水栓の取付に使用できる。
【００１５】
【発明の効果】
このように本発明では、天板上に台座を介装させて水栓本体を取付けることによって遠隔操作の操作部を簡単に併設することができるので、遠隔操作部を備えた専用の水栓でなくても容易にこうした仕様に対処することができる。従ってコストを大幅に軽減できるなど有益な効果がある。
【図面の簡単な説明】
【図１】本発明の実施形態を示した水栓の取付時の部分断面側面図。
【図２】図１の背面斜視図。
【図３】図１の水栓取付用台座の斜視図。
【符号の説明】
１０      天板
１１      取付孔
１２      取付孔
２０      水栓本体
２４      取付用筒部
４０      台座
４１      透孔
４３      取付部
４４      透孔
５０      操作部
５１      鞘体
５３      摘子
５４      ケーブル
７０      開閉栓
【図１】
0003858206.tif 000002
【図２】
0003858206.tif 000003
【図３】
0003858206.tif 000004